(57)【要約】【課題】受信信号を低雑音で増幅する機能を有する場合において、その機能のオン/オフを最適に行う。【解決手段】LNA１２は、RF信号を低雑音で増幅する。セレクタ１３は、制御マイコン１８からの選択信号に基づいて、LNA１２に入力されるアンテナ１１で受信されたままのRF信号、または、LNA１２から出力される増幅後のRF信号のいずれかを選択して出力する。ノイズ検出回路１６は、LNA機能のオフ時の映像信号に含まれるノイズのレベルと、LNA機能のオン時の映像信号に含まれるノイズのレベルとを検出する。制御マイコン１８は、LNA機能のオフ時のノイズレベルとLNA機能のオン時のノイズレベルに基づいて、選択信号をセレクタ１３に供給する。本発明は、例えば、テレビジョン受像機に適用することができる。【選択図】図１
2010153970.tif 000002
【特許請求の範囲】
【請求項１】
受信信号を低雑音で増幅する低雑音増幅器と、
前記低雑音増幅器に入力される受信信号である入力受信信号、または、前記低雑音増幅器から出力される受信信号である出力受信信号のいずれかを選択して出力する選択手段と、
前記入力受信信号に含まれる妨害信号のレベルである入力レベルと、前記出力受信信号に含まれる妨害信号のレベルである出力レベルとを検出する検出手段と
を備え、
前記選択手段は、前記入力レベルと前記出力レベルに基づいて、前記入力受信信号または前記出力受信信号のいずれかを選択する
受信装置。
【請求項２】
前記受信信号は、アナログ放送の信号であり、
前記検出手段は、前記アナログ放送の信号に含まれる水平同期信号とバックポーチ期間の信号のうちの少なくとも１つの信号のピーク値を表す情報を、前記レベルとして検出する
請求項１に記載の受信装置。
【請求項３】
前記受信信号は、デジタル放送の信号であり、
前記検出手段は、前記デジタル放送の信号の復号時に訂正されたエラーの量を表す情報を、前記レベルとして検出する
請求項１に記載の受信装置。
【請求項４】
前記受信信号は、デジタル放送の信号であり、
前記検出手段は、前記デジタル放送の信号に含まれるSP（Scattered Pilot）信号を用いてC/N（Carrier/Noise）比を演算し、そのC/N比を表す情報を前記レベルとして検出する
請求項１に記載の受信装置。
【請求項５】
前記選択手段は、前記入力レベルと前記出力レベルに基づいて、前記入力受信信号または前記出力受信信号の選択を表す選択情報を記憶部に記憶させ、前記記憶部に記憶されている前記選択情報に基づいて、前記入力受信信号または前記出力受信信号のいずれかを選択する
請求項１に記載の受信装置。
【請求項６】
受信信号を低雑音で増幅する低雑音増幅器を備える受信装置が、
前記低雑音増幅器に入力される受信信号である入力受信信号、または、前記低雑音増幅器から出力される受信信号である出力受信信号のいずれかを選択して出力させる選択ステップと、
前記入力受信信号に含まれる妨害信号のレベルである入力レベルと、前記出力受信信号に含まれる妨害信号のレベルである出力レベルとを検出する検出ステップと
を含み、
前記選択ステップでは、前記入力レベルと前記出力レベルに基づいて、前記入力受信信号または前記出力受信信号のいずれかを選択する
受信方法。
【請求項７】
受信信号を低雑音で増幅する低雑音増幅器に入力される受信信号である入力受信信号、または、前記低雑音増幅器から出力される受信信号である出力受信信号のいずれかを選択して出力する選択手段と、
前記入力受信信号に含まれる妨害信号のレベルである入力レベルと、前記出力受信信号に含まれる妨害信号のレベルである出力レベルとを検出する検出手段と
を備え、
前記選択手段は、前記入力レベルと前記出力レベルに基づいて、前記入力受信信号または前記出力受信信号のいずれかを選択する
受信装置として、コンピュータを機能させるためのプログラム。
【発明の詳細な説明】
【技術分野】
【０００１】
本発明は、受信装置、受信方法、およびプログラムに関し、特に、受信信号を低雑音で増幅する機能を有する場合において、その機能のオン/オフを最適に行うことができるようにした受信装置、受信方法、およびプログラムに関する。
【背景技術】
【０００２】
テレビジョン放送の受信機の多機能化等に伴い、１台の映像表示装置に２組のテレビジョン放送の映像を同時に表示させる２画面テレビジョン受信機が商品化されている。このような２画面テレビジョン受信機では、２組のチューナが搭載されており、１本のアンテナにより受信されたRF（Radio Frequency）信号が各チューナに分配される。そして、２画面テレビジョン受信機は、分配された各RF信号の映像信号を映像メモリに同時に書き込んで読み出すことにより、２組のテレビジョン放送の映像を同時に表示させる。
【０００３】
また、受信されたテレビジョン信号をHDD（Hard Disk Drive）等に記録する録画機器は、１本のアンテナにより受信されたRF信号を記録用のチューナとテレビジョン受像機側のチューナに同時に供給できるように、RF信号を分配する機能を有している。
【０００４】
以上のようにRF信号を２分配する受信装置において、アンテナで受信されたRF信号を直接２分配すると、約4dBの分配ロスが生じ、RF信号の雑音指数（NF）、即ちチューナの弱電界受信感度が劣化する。従って、このような受信装置では、分配する前段にゲインが10dB程度のNFの良いLNA（Low Noise Amplifier）を追加して、RF信号のNFの劣化を防止している。
【０００５】
しかしながら、分配する前段にLNAが備えられた場合、-20dBm以上の強電界のRF信号が受信されると、隣接する信号が受信すべき信号に混変調ビート妨害を与える可能性がある。また、受信すべき信号の上下に位置する２波間の相互変調歪み成分が受信信号帯域内に混入して、相互変調ビート妨害を与える可能性がある。
【０００６】
一方、共聴ブースタのような大電力トランジスタを屋内外に設置することにより、-5dBm程度の強電界のRF信号でも歪まないような低雑音増幅器を構成することもできる。しかしながら、コストの上昇、装置の大型化、消費電力の増加の面で、このような大電力トランジスタを民生用チューナのLNAとして採用することは望ましくない。
【０００７】
そこで、LNAの後段に、LNAに入力されるRF信号またはLNAから出力されるRF信号のいずれかを選択して出力するセレクタを設け、LNA機能のオン/オフを可能にすることが考案されている。
【０００８】
例えば、強電界のRF信号の受信によりビートノイズが発生した場合には、受信環境の設定メニュー上でユーザが手動で設定を行うことにより、LNA機能をオフにし、受信されたRF信号をそのままチューナに印加することが考えられている。これにより、ビートノイズ等の発生を防止することができる。
【０００９】
しかしながら、一般的なユーザが、LNA機能のオン／オフの切り替えを手動で行って、画面上の映像の品質を比較し、最適な設定を行うことは困難である。そのため、LNA機能がオンとなっている初期設定時に、RF信号レベルの高い綺麗なテレビジョン信号を接続しても、映像が正常に映らないという苦情が発生する場合があった。
【００１０】
また、受信電界強度を測定し、その受信電界強度に基づいて自動的にLNA機能をオン/オフすることも考えられている（例えば、特許文献１参照）。
【００１１】
【特許文献１】特開２００１−２８５３８０号公報
【発明の開示】
【発明が解決しようとする課題】
【００１２】
しかしながら、受信電界強度では、実際にLNAで発生した歪み等による信号品質の劣化の度合いを把握することはできないため、LNA機能のオン/オフを最適に行うことは困難である。
【００１３】
本発明は、このような状況に鑑みてなされたものであり、受信信号を低雑音で増幅する機能を有する場合において、その機能のオン/オフを最適に行うことができるようにするものである。
【課題を解決するための手段】
【００１４】
本発明の一側面の受信装置は、受信信号を低雑音で増幅する低雑音増幅器と、前記低雑音増幅器に入力される受信信号である入力受信信号、または、前記低雑音増幅器から出力される受信信号である出力受信信号のいずれかを選択して出力する選択手段と、前記入力受信信号に含まれる妨害信号のレベルである入力レベルと、前記出力受信信号に含まれる妨害信号のレベルである出力レベルとを検出する検出手段とを備え、前記選択手段は、前記入力レベルと前記出力レベルに基づいて、前記入力受信信号または前記出力受信信号のいずれかを選択する受信装置である。
【００１５】
本発明の一側面の受信方法は、受信信号を低雑音で増幅する低雑音増幅器を備える受信装置が、前記低雑音増幅器に入力される受信信号である入力受信信号、または、前記低雑音増幅器から出力される受信信号である出力受信信号のいずれかを選択して出力させる選択ステップと、前記入力受信信号に含まれる妨害信号のレベルである入力レベルと、前記出力受信信号に含まれる妨害信号のレベルである出力レベルとを検出する検出ステップとを含み、前記選択ステップでは、前記入力レベルと前記出力レベルに基づいて、前記入力受信信号または前記出力受信信号のいずれかを選択する受信方法である。
【００１６】
本発明の一側面のプログラムは、受信信号を低雑音で増幅する低雑音増幅器に入力される受信信号である入力受信信号、または、前記低雑音増幅器から出力される受信信号である出力受信信号のいずれかを選択して出力する選択手段と、前記入力受信信号に含まれる妨害信号のレベルである入力レベルと、前記出力受信信号に含まれる妨害信号のレベルである出力レベルとを検出する検出手段とを備え、前記選択手段は、前記入力レベルと前記出力レベルに基づいて、前記入力受信信号または前記出力受信信号のいずれかを選択する受信装置として、コンピュータを機能させるためのプログラムである。
【００１７】
本発明の一側面においては、低雑音増幅器に入力される受信信号である入力受信信号、または、低雑音増幅器から出力される受信信号である出力受信信号のいずれかが選択して出力され、入力受信信号に含まれる妨害信号のレベルである入力レベルと、出力受信信号に含まれる妨害信号のレベルである出力レベルとが検出される。なお、入力受信信号または出力受信信号の選択は、入力レベルと出力レベルに基づいて行われる。
【発明の効果】
【００１８】
以上のように、本発明の一側面によれば、受信信号を低雑音で増幅する機能を有する場合において、その機能のオン/オフを最適に行うことができる。
【発明を実施するための最良の形態】
【００１９】
＜第１実施の形態＞
［受信装置の第１の実施の形態の構成例］
図１は、本発明を適用した受信装置の第１の実施の形態の構成例を示すブロック図である。
【００２０】
図１の受信装置１０は、アンテナ１１、LNA１２、セレクタ１３、分配器１４、チューナ１５−１，１５−２、ノイズ検出回路１６、表示部１７、制御マイコン１８、および記憶部１９により構成される。受信装置１０は、NTSC（National Television Standards Committee）規格のアナログ放送を受信し、２組のアナログ放送の映像を同時に表示させる。
【００２１】
アンテナ１１は、アナログ放送のRF信号を受信し、そのRF信号をLNA１２とセレクタ１３に入力する。LNA１２（低雑音増幅器）は、入力されたRF信号を低雑音で増幅し、セレクタ１３に入力する。
【００２２】
セレクタ１３（選択手段）は、制御マイコン１８からのLNA機能のオンまたはオフを表す選択信号に基づいて、LNA１２から出力される増幅後のRF信号、または、LNA１２に入力されるアンテナ１１で受信されたままのRF信号のいずれかを選択し、出力する。即ち、セレクタ１３は、選択信号に応じてLNA１２からの増幅後のRF信号（出力受信信号）を出力することにより、LNA機能をオンにしたり、アンテナ１１からの受信されたままのRF信号（入力受信信号）を出力することにより、LNA機能をオンにしたりする。
【００２３】
分配器１４は、セレクタ１３から出力されたRF信号を２組のチューナ１５−１，１５−２に分配する。
【００２４】
チューナ１５−１は、親画面用のチューナである。チューナ１５−１は、アンプ２１−１と信号処理回路２２−１により構成される。アンプ２１−１は、チューナ１５−１に分配されたRF信号を増幅し、信号処理回路２２−１に供給する。
【００２５】
信号処理回路２２−１は、例えば、PLL（Phase Locked Loop）方式のVIF（Video Intermediate Frequency）信号処理IC（Integrated Circuit）などにより構成される。信号処理回路２２−１は、制御マイコン１８から供給される選局信号にしたがってRF信号に対して選局を行い、復調等の信号処理を行う。そして、信号処理回路２２-１は、その結果得られる輝度信号および色差信号を映像信号としてノイズ検出回路１６および表示部１７に供給する。
【００２６】
なお、図示は省略するが、復調等の信号処理を行うことにより得られる音声信号に対応する音声は、スピーカ等から出力される。これにより、ユーザは、親画面に表示されている映像に対応する音声を聴くことができる。
【００２７】
チューナ１５−２は、子画面用のチューナである。チューナ１５−２は、アンプ２１−２と信号処理回路２２−２により構成される。アンプ２１−２は、チューナ１５−２に分配されたRF信号を増幅し、信号処理回路２２−２に供給する。
【００２８】
信号処理回路２２−２は、信号処理回路２２−１と同様に、例えば、PLL方式のVIF信号処理ICなどにより構成される。信号処理回路２２−２は、制御マイコン１８から供給される選局信号にしたがってRF信号に対して選局を行い、復調等の信号処理を行う。そして、信号処理回路２２-１は、その結果得られる輝度信号および色差信号を映像信号として表示部１７に供給する。
【００２９】
ノイズ検出回路（検出手段）１６は、チューナ１５−１の信号処理回路２２−１から供給される映像信号を用いて、その映像信号に含まれる妨害信号としてのノイズのレベルを検出する。ノイズ検出回路１６は、検出されたノイズレベルを制御マイコン１８に供給する。なお、ここでいうノイズには、ビートノイズ、ランダムに発生するノイズ等がある。
【００３０】
表示部１７は、信号処理回路２２−１から供給される映像信号に対応する映像を親画面に表示するとともに、信号処理回路２２−２から供給される映像信号に対応する映像を子画面に表示する。
【００３１】
具体的には、例えば、表示部１７が、画面の左半分を親画面とし右半分を子画面として、左右２分割表示方式で表示を行う場合、表示部１７は、内蔵する映像メモリ（図示せず）に画面の左半分の映像信号として信号処理回路２２−１からの映像信号を記憶させる。また、表示部１７は、内蔵する映像メモリ（図示せず）に画面の右半分の映像信号として信号処理回路２２−２からの映像信号を記憶させる。そして、表示部１７は、所定のタイミングで、映像メモリから全ての映像信号を読み出し、表示する。
【００３２】
制御マイコン１８は、記憶部１９に記憶されているプログラムを実行することにより、受信装置１０の各部を制御する。例えば、制御マイコン１８は、ノイズ検出回路１６から供給されるノイズレベルに基づいて、記憶部１９に記憶されているLNA機能のモードであるLNAモードを表すフラグをオン/オフすることにより、LNAモードをオン/オフモードに設定する。また、制御マイコン１８は、LNAモードに応じてLNA機能のオン/オフを表す選択信号をセレクタ１３に供給することにより、LNA機能をオン/オフする。
【００３３】
さらに、制御マイコン１８は、ユーザからの操作入力に応じて、親画面に表示させる映像のチャンネルを表す選局信号を信号処理回路２２−１に供給し、子画面に表示させる映像のチャンネルを表す選局信号を信号処理回路２２−２に供給する。
【００３４】
記憶部１９は、不揮発性メモリなどよりなり、LNAモードを表すフラグおよびプログラムを記憶する。
【００３５】
［ノイズ検出回路の詳細構成例］
図２は、図１のノイズ検出回路１６の詳細構成例を示すブロック図である。
【００３６】
図２において、ノイズ検出回路１６は、A/D（Analog/digital）変換回路３１、置換信号発生回路３２、タイミング信号発生回路３３、アンド回路３４、セレクタ３５、バンドパスフィルタ回路３６、およびピーク値検出回路３７により構成される。
【００３７】
A/D変換回路３１は、信号処理回路２２−１から供給される映像信号に対してA/D変換を行い、セレクタ３５に出力する。置換信号発生回路３２は、映像信号に含まれる水平同期信号の電圧レベルと同一の電圧レベルの信号を置換信号として発生し、セレクタ３５に出力する。
【００３８】
タイミング信号発生回路３３は、信号処理回路２２−１から供給される映像信号に基づいて、映像信号の水平ブランキング期間内の水平同期信号の期間に応じた水平同期期間信号を生成し、アンド回路３４に供給する。具体的には、タイミング信号発生回路３３は、水平同期信号の期間だけＨレベルとなり、それ以外の期間ではＬレベルとなる水平同期期間信号を生成し、アンド回路３４に供給する。
【００３９】
また、タイミング信号発生回路３３は、映像信号に基づいて、映像信号の垂直ブランキング期間に応じた垂直ブランキング期間信号を生成し、アンド回路３４に供給する。具体的には、タイミング信号発生回路３３は、垂直ブランキング期間だけＬレベルとなり、それ以外の期間ではＨレベルとなる垂直ブランキング期間信号を生成し、アンド回路３４に供給する。
【００４０】
アンド回路３４は、タイミング信号発生回路３３から供給される水平同期期間信号と垂直ブランキング期間信号の論理和を演算し、演算結果を選択信号としてセレクタ３５に供給する。従って、選択信号は、水平同期信号の期間であり、かつ、垂直ブランキング期間ではない期間をノイズ検出期間として、ノイズ検出期間ではＨレベルとなり、それ以外の期間ではＬレベルとなる。
【００４１】
セレクタ３５は、アンド回路３４から供給される選択信号に基づいて、A/D変換回路３１から供給される映像信号、または、置換信号発生回路３２から供給される置換信号のいずれかを選択し、ノイズ検出用信号として出力する。具体的には、選択信号のレベルがＨレベルである場合、セレクタ３５はA/D変換後の映像信号を選択して出力し、選択信号のレベルがＬレベルである場合、セレクタ３５は置換信号を選択して出力する。
【００４２】
その結果、セレクタ３５から出力されるノイズ検出用信号は、ノイズ検出期間だけ水平同期信号のデジタル信号となり、それ以外の期間では置換信号となる。即ち、ノイズ検出用信号は、ノイズ検出期間の水平同期信号のみをゲートした信号となる。
【００４３】
従って、後段のピーク値検出回路３７において、映像信号のうちの映像部分の信号（以下、本信号という）の変化や、垂直ブランキング期間に含まれている垂直同期信号、等化パルス等の影響を受けずに、映像信号のノイズレベルを検出することができる。
【００４４】
バンドパスフィルタ回路３６は、セレクタ３５から出力されるノイズ検出用信号に対して帯域制限を行い、例えば数10kHzから数MHzまでの帯域のノイズ検出用信号をピーク値検出回路３７に供給する。
【００４５】
ピーク値検出回路３７は、バンドパスフィルタ回路３６から供給されるノイズ検出信号の絶対値のピーク値をノイズレベルとして検出し、制御マイコン１８に供給する。
【００４６】
［ノイズ検出用信号の説明］
次に、図３乃至図６を参照して、図２のノイズ検出回路１６で生成されるノイズ検出用信号について説明する。
【００４７】
まず、図３および図４を参照して、ノイズ検出回路１６に入力される映像信号にノイズがない場合について説明する。
【００４８】
図３に示すように、NTSC規格の映像信号には、水平ブランキング期間が設けられており、この水平ブランキング期間は、フロントポーチ期間、水平同期期間、およびバックポーチ期間から構成される。水平同期期間には、水平同期信号が配置され、バックポーチ期間には、平坦な黒レベルの映像信号と色信号の基準位相となる3.58MHzのカラーバースト信号が配置される。なお、図３では、説明の便宜上、カラーバースト信号は図示していない。
【００４９】
図３に示すように、映像信号にノイズがない場合、水平同期信号のレベルは略一定となっており、ノイズ検出期間のノイズ検出用信号の絶対値は、図４に示すように略一定となる。従って、ノイズ検出用信号の絶対値のピーク値は略ゼロであり、ノイズレベルは略ゼロとなる。
【００５０】
これに対して、ノイズ検出回路１６に入力される映像信号にノイズがある場合、図５に示すように、水平同期信号のレベルは変動する。従って、ノイズ検出期間のノイズ検出用信号の絶対値は、図６に示すように変動し、そのピーク値は比較的大きくなる。その結果、ノイズレベルは比較的大きい値となる。
【００５１】
［受信装置の処理の説明］
次に、図７のフローチャートを参照して、受信装置１０によるLNAモード設定処理について説明する。
【００５２】
ステップＳ１１において、セレクタ１３は、制御マイコン１８からのLNA機能のオンを表す選択信号に応じて、増幅後のRF信号を選択し、分配器１４に出力する。ステップＳ１２において、分配器１４は、セレクタ１３から出力されたRF信号を２組のチューナ１５−１および１５−２に分配する。
【００５３】
ステップＳ１３において、チューナ１５−１は選局処理を行う。この選局処理の詳細は、後述する図８のフローチャートを参照して詳細に説明する。
【００５４】
ステップＳ１４において、ノイズ検出回路１６は、チューナ１５−１の信号処理回路２２−１から供給される映像信号を用いて、その映像信号に含まれるノイズレベルを検出するノイズ検出処理を行う。このノイズ検出処理の詳細は、後述する図９のフローチャートを参照して詳細に説明する。
【００５５】
ステップＳ１５において、セレクタ１３は、制御マイコン１８からのLNA機能のオフを表す選択信号に応じて、アンテナ１１で受信されたままのRF信号を選択し、分配器１４に出力する。
【００５６】
ステップＳ１６において、分配器１４は、ステップＳ１２の処理と同様に、セレクタ１３から出力されたRF信号を２組のチューナ１５−１，１５−２に分配する。ステップＳ１７において、チューナ１５−１は、ステップＳ１３の処理と同様に選局処理を行う。ステップＳ１８において、ノイズ検出回路１６は、ステップＳ１４の処理と同様にノイズ検出処理を行う。
【００５７】
ステップＳ１９において、制御マイコン１８は、ステップＳ１４で検出されたノイズレベルＢ１が、ステップＳ１８で検出されたノイズレベルＢ２より大きいかどうかを判定する。ステップＳ１９でノイズレベルＢ１がノイズレベルＢ２より大きいと判定された場合、即ち、LNA機能のオフ時の映像信号の品質が、LNA機能のオン時の映像信号の品質より良い場合、処理はステップＳ２０に進む。
【００５８】
ステップＳ２０において、制御マイコン１８は、記憶部１９に記憶されているLNAモードを表すフラグをオフにすることにより、LNAモードをオフモードに設定する。即ち、ノイズレベルＢ１がノイズレベルＢ２より大きい場合、制御マイコン１８は、LNA機能のオフ時の受信環境がオン時に比べて良いと判断して、LNAモードをオフモードに設定する。そして、処理は終了する。
【００５９】
一方、ステップＳ１９でノイズレベルＢ１がノイズレベルＢ２より大きくはないと判定された場合、即ち、LNA機能のオフ時の映像信号の品質が、LNA機能のオン時の映像信号の品質より良くはない場合、処理はステップＳ２１に進む。
【００６０】
ステップＳ２１において、制御マイコン１８は、記憶部１９に記憶されているLNAモードを表すフラグをオンにすることにより、LNAモードをオンモードに設定する。即ち、ノイズレベルＢ１がノイズレベルＢ２より大きくない場合、制御マイコン１８は、LNA機能のオン時の受信環境がオフ時に比べて良いと判断して、LNAモードをオンモードに設定する。そして、処理は終了する。
【００６１】
以上のように、受信装置１０は、LNA機能のオン時のノイズレベルＢ１とLNA機能のオフ時のノイズレベルＢ２を検出して比較する。従って、強電界のRF信号が受信された場合にLNAで発生する歪み等によるビートノイズと、中弱電界のRF信号が受信された場合にLNAにより改善されるノイズのレベルを比較することができる。
【００６２】
また、受信装置１０は、LNA機能のオン時のノイズレベルＢ１とLNA機能のオフ時のノイズレベルＢ２を比較して、よりノイズレベルの少ない場合のLNA機能の状態に対応するLNAモードを設定する。従って、LNA機能のオン/オフを最適に行い、常に安定した映像信号や音声信号を受信することができる。
【００６３】
例えば、アンテナ１１で強電界のRF信号が受信されることによってLNA１２で歪み等が発生し、映像信号や音声信号の品質が劣化する場合、LNA機能は自動的にオフになり、歪み等が回避される。また、アンテナ１１で中弱電界のRF信号が受信され、LNA１２によってノイズが改善される場合、LNA機能は自動的にオンになり、ノイズが改善される。その結果、表示部１７に表示される映像やスピーカ（図示せず）等に出力される音声の品質を向上させることができる。
【００６４】
さらに、受信装置１０は、LNA機能のオン/オフを自動的に行うので、ユーザが手動で行う場合に比べて、ユーザは煩雑な操作を行う必要がない。また、RF信号レベルの高い綺麗なテレビジョン信号を接続しても、映像が正常に映らないという苦情の発生を防止することができる。
【００６５】
なお、図７のLNAモード設定処理は、初期の選局プリセット時や最初の選局時にのみ行われるようにしてもよいし、ユーザにより選局指示が行われるごとに行われるようにしてもよい。LNAモード設定処理が、初期の選局プリセット時や最初の選局時にのみ行われる場合、それ以降の選局時においては、記憶部１９に記憶されているフラグにしたがってLNA機能がオン/オフされる。これにより、LNAモード設定処理後の選局時において、ユーザによる選局指示（チャンネル切替）と同時に素早く最適なLNAモードでの受信を行うことができる。
【００６６】
次に、図８のフローチャートを参照して、図７のステップＳ１３やＳ１７の選局処理の詳細について説明する。
【００６７】
ステップＳ３１において、チューナ１５−１のアンプ２１−１は、分配器１４から供給されるRF信号を増幅し、信号処理回路２２−１に供給する。
【００６８】
ステップＳ３２において、信号処理回路２２−１は、制御マイコン１８から供給される選局信号にしたがってRF信号に対して選局を行い、復調等の信号処理を行う。そして、信号処理回路２２-１は、その結果得られる輝度信号および色差信号を映像信号としてノイズ検出回路１６および表示部１７に供給する。その後、処理は図７のステップＳ１３やＳ１７に戻り、以降の処理が行われる。
【００６９】
なお、ステップＳ３２において、信号処理回路２２−１は、選局信号にしたがって所定のチャンネルのみを選局してもよいし、選局信号にしたがって各チャンネルを順に選局してもよい。信号処理回路２２−１が各チャンネルを順に選局する場合には、次のノイズ検出処理においてチャンネルごとにノイズレベルが検出され、LNAモードはチャンネルごとに設定される。
【００７０】
次に、図９のフローチャートを参照して、図７のステップＳ１４やＳ１８のノイズ検出処理の詳細について説明する。
【００７１】
ステップＳ５１において、A/D変換回路３１は、信号処理回路２２−１から供給される映像信号に対してA/D変換を行い、セレクタ３５に出力する。ステップＳ５２において、置換信号発生回路３２は、映像信号に含まれる水平同期信号の電圧レベルと同一の電圧レベルの信号を置換信号として発生し、セレクタ３５に出力する。
【００７２】
ステップＳ５３において、セレクタ３５は、信号処理回路２２−１から供給される映像信号がノイズ検出期間の水平同期信号であるかどうか、即ち選択信号がＨレベルであるかどうかを判定する。
【００７３】
ステップＳ５３で、映像信号がノイズ検出期間の水平同期信号であると判定された場合、即ち選択信号がＨレベルである場合、ステップＳ５４において、セレクタ３５は、A/D変換回路３１からの映像信号を選択し、ノイズ検出用信号として出力する。
【００７４】
一方、ステップＳ５３で、映像信号がノイズ検出期間の水平同期信号ではないと判定された場合、即ち選択信号がＬレベルである場合、処理はステップＳ５５に進む。ステップＳ５５において、セレクタ３５は、置換信号発生回路３２からの置換信号を選択し、ノイズ検出用信号として出力する。
【００７５】
ステップＳ５６において、バンドパスフィルタ回路３６は、セレクタ３５から出力されるノイズ検出用信号に対して帯域制限を行い、例えば数10kHzから数MHzまでの帯域のノイズ検出用信号をピーク値検出回路３７に供給する。
【００７６】
ステップＳ５７において、ピーク値検出回路３７は、バンドパスフィルタ回路３６から供給されるノイズ検出用信号の絶対値のピーク値をノイズレベルとして検出し、制御マイコン１８に供給する。そして、処理は図７のステップＳ１４やＳ１８に戻り、以降の処理が行われる。
【００７７】
［ノイズ検出回路の他の詳細構成例］
図１０は、図１のノイズ検出回路１６の他の詳細構成例を示すブロック図である。
【００７８】
図１０に示す構成のうち、図２の構成と同じ構成には同じ符号を付してある。重複する説明については適宜省略する。
【００７９】
図１０のノイズ検出回路１６の構成は、主に、置換信号発生回路３２の代わりに置換信号発生回路５１が設けられ、タイミング信号発生回路３３の代わりにタイミング信号発生回路５２が設けられ、バンドパスフィルタ回路３６の代わりにトラップ回路５３が設けられている点が図２の構成と異なる。
【００８０】
図１０のノイズ検出回路１６は、垂直ブランキング期間以外のバックポーチ期間内の黒レベルの映像信号の期間（以下、黒レベル期間という）をノイズ検出期間として、そのノイズ検出期間の映像信号に含まれるノイズのレベルを検出する。
【００８１】
詳細には、置換信号発生回路３２は、映像信号の黒レベル期間の電圧レベルと同一の電圧レベルの信号を置換信号として発生し、セレクタ３５に出力する。従って、セレクタ３５では、A/D変換回路３１から供給されるA/D変換後の映像信号または置換信号のうちのいずれかがノイズ検出用信号として選択される。
【００８２】
タイミング信号発生回路５２は、信号処理回路２２−１から供給される映像信号に基づいて、映像信号の黒レベル期間に応じた黒レベル期間信号を生成し、アンド回路３４に供給する。具体的には、タイミング信号発生回路５２は、黒レベル期間だけＨレベルとなり、それ以外の期間ではＬレベルとなる黒レベル期間信号を生成し、アンド回路３４に供給する。
【００８３】
また、タイミング信号発生回路５２は、映像信号に基づいて、映像信号の垂直ブランキング期間に応じた垂直ブランキング期間信号を生成し、アンド回路３４に供給する。具体的には、タイミング信号発生回路５２は、垂直ブランキング期間だけＬレベルとなり、それ以外の期間ではＨレベルとなる垂直ブランキング期間信号を生成し、アンド回路３４に供給する。
【００８４】
その結果、アンド回路３４から出力される選択信号は、黒レベル期間であり、かつ、垂直ブランキング期間ではない期間をノイズ検出期間として、ノイズ検出期間ではＨレベルとなり、それ以外の期間ではＬレベルとなる。
【００８５】
トラップ回路５３は、バックポーチ期間に含まれる3.58MHzのカラーバースト信号をトラップするための回路である。トラップ回路５３は、セレクタ３５から出力されるノイズ検出用信号の3.58MHz成分を減衰させるように帯域制限を行い、ピーク値検出回路３７に供給する。
【００８６】
なお、図１０のノイズ検出回路１６によるノイズ検出処理は、図９のノイズ検出処理と同様であるので説明は省略する。
【００８７】
［受信装置の第２の実施の形態の構成例］
図１１は、本発明を適用した受信装置の第２の実施の形態の構成例を示すブロック図である。
【００８８】
図１１に示す構成のうち、図１の構成と同じ構成には同じ符号を付してある。重複する説明については適宜省略する。
【００８９】
図１１の受信装置７０の構成は、アンテナ１１の代わりにアンテナ７１が、チューナ１５−１，１５−２の代わりにチューナ７２−１，７２−２が、制御マイコン１８の代わりに制御マイコン７３が設けられている点が図１の構成と異なる。受信装置７０は、OFDM（Orthogonal Frequency Division Multiplexing）方式で変調された地上デジタル放送を受信し、２組の地上デジタル放送の映像を同時に表示させる。
【００９０】
アンテナ７１は、地上デジタル放送のRF信号を受信し、LNA１２とセレクタ１３に入力する。
【００９１】
チューナ７２−１は、親画面用のチューナである。チューナ７２−１は、制御マイコン７３から供給される選局信号にしたがってRF信号に対して選局を行い、制御信号にしたがって選局中の映像信号を得て、表示部１７に出力する。また、チューナ７２−１は、変調方式情報（詳細は後述する）を取得し、制御マイコン７３に供給する。さらに、チューナ７２−１は、映像信号に含まれる妨害信号のレベルを検出し、制御マイコン７３に供給する。
【００９２】
また、チューナ７２−２は、子画面用のチューナである。チューナ７２−２は、制御マイコン７３から供給される選局信号にしたがって選局を行い、制御信号にしたがって選局中の映像信号を得て、表示部１７に出力する。また、チューナ７２−２は、チューナ７２−１と同様に、変調方式情報（詳細は後述する）を取得し、制御マイコン７３に供給する。
【００９３】
なお、以下では、チューナ７２−１および７２−２を特に区別する必要がない場合、それらをまとめてチューナ７２という。
【００９４】
制御マイコン７３は、記憶部１９に記憶されているプログラムを実行することにより、受信装置７０の各部を制御する。例えば、制御マイコン７３は、チューナ７２−１から供給されるレベルに基づいて、記憶部１９に記憶されているLNAモードを表すフラグをオン/オフすることにより、LNAモードをオン/オフモードに設定する。また、制御マイコン７３は、図２の制御マイコン１８と同様に、LNA機能のオン/オフを表す選択信号をセレクタ１３に供給することにより、LNA機能をオン/オフする。
【００９５】
さらに、制御マイコン７３は、制御マイコン１８と同様に、ユーザからの操作入力に応じて、親画面に表示させる映像のチャンネルを表す選局信号をチューナ７２−１に供給し、子画面に表示させる映像のチャンネルを表す選局信号をチューナ７２−２に供給する。また、制御マイコン７３は、チューナ７２から供給される変調方式情報に基づいて、復調を制御するための制御信号を生成し、チューナ７２に供給する。
【００９６】
［チューナの詳細構成例］
図１２は、図１１のチューナ７２−１の詳細構成例を示している。
【００９７】
図１２において、チューナ７２−１は、アンプ９１、ミキサ９２、OSC（oscillator）・PLL回路９３、AGC（Automatic Gain Control）付きアンプ９４、A/D変換回路９５、直交復調回路９６、FFT（Fast Fourier Transform）回路９７、ビタビ復号回路９８、ＲＳ（Reed Solomon）復号回路９９、デコーダ１００、TMCC（Transmission and Multiplexing Configuration Control）復号回路１０１、およびBER（Bit Error Rate）計測回路１０２により構成される。
【００９８】
アンプ９１は、BPF（Band Pass Filter）およびAGC付きアンプである。アンプ９１は、A/D変換回路９５からフィードバックされた低IF信号に基づくゲインで、分配器１４から供給されるRF信号を増幅し、帯域制限する。アンプ９１は、増幅および帯域制限後のRF信号をミキサ９２に供給する。
【００９９】
ミキサ９２は、OSC・PLL回路９３から供給される周波数信号に基づいて、アンプ９１から供給されるRF信号を低IF（Intermediate Frequency）信号に周波数変換し、AGC付きアンプ９４に出力する。
【０１００】
OSC・PLL回路９３は、制御マイコン７３から供給される選局信号に対応する周波数の信号を生成し、周波数信号としてミキサ９２に供給する。
【０１０１】
AGC付きアンプ９４は、A/D変換回路９５からフィードバックされた低IF信号に基づくゲインで、ミキサ９２から供給される低IF信号を増幅し、A/D変換回路９５に供給する。
【０１０２】
A/D変換回路９５は、AGC付きアンプ９４から供給される低IF信号に対してA/D変換を行い、その結果得られるデジタルの低IF信号を直交復調回路９６に供給する。また、A/D変換回路９５は、デジタルの低IF信号をアンプ９１およびAGC付きアンプ９４にフィードバックする。
【０１０３】
直交復調回路９６は、A/D変換回路９５から供給されるデジタルの低IF信号を直交復調することによってベースバンドのOFDM信号を取得し、FFT回路９７に出力する。このベースバンドのOFDM信号は、FFT演算が行われる前の時間領域の信号である。ベースバンドのOFDM信号は、直交復調された結果、実軸成分（Ｉチャンネル信号）と虚軸成分（Ｑチャンネル信号）を含んだ複素信号となる。
【０１０４】
FFT回路９７は、１つのOFDMシンボルのベースバンドのOFDM信号から有効シンボル長の範囲の信号を抜き出す。また、FFT回路９７は、制御マイコン７３から供給される変調方式情報に基づく制御信号にしたがって、抜き出されたベースバンドのOFDM信号に対してFFT演算を行うことにより、各サブキャリアに直交変調されているデータを抽出する。そして、FFT回路９７は、抽出したデータを表すOFDM信号を出力する。このOFDM信号は、FFT演算が行われた後の周波数領域の信号である。
【０１０５】
ビタビ復号回路９８は、FFT回路９７から出力されたOFDM信号に対してビタビ復号を行い、その結果得られるOFDM信号をＲＳ復号回路９９に出力する。ＲＳ（Reed Solomon）復号回路９９は、ビタビ復号回路９８から供給されるビタビ復号後のOFDM信号に対してＲＳ復号を行う。そして、ＲＳ復号回路９９は、その結果得られるOFDM信号をデコーダ１００に供給する。
【０１０６】
デコーダ１００は、ビタビ復号回路９８から供給されるOFDM信号に対して、MPEG2（Moving Picture Experts Group phase 2）規格に準拠した方式で復号を行い、その結果得られる映像信号を表示部１７に供給する。なお、図示は省略するが、デコーダ１００による復号の結果、映像信号とともに得られる音声信号に対応する音声は、スピーカ等から出力される。
【０１０７】
TMCC復号回路１０１は、FFT回路９７から出力されたOFDM信号からTMCC（伝送多重制御）信号を抽出し、TMCC信号からOFDM信号のデジタル変調方式を特定するための変調方式情報などを取得する。そして、TMCC復号回路１０１は、変調方式情報を制御マイコン７３に供給する。
【０１０８】
BER計測回路１０２（検出手段）は、ビタビ復号回路９８から供給されるOFDM信号に基づいて、ビタビ復号回路９８によりエラー訂正されたビットの数を計測する。そして、BER計測回路１０２は、その数の全ビット数に対する割合であるエラー率を、映像信号に含まれる妨害信号のレベルとして求め、制御マイコン７３に供給する。
【０１０９】
なお、チューナ７２−２は、チューナ７２−１と同様に構成されるが、チューナ７２−２にはBER計測回路１０２は設けられない。
【０１１０】
[受信装置の処理の説明]
次に、図１３のフローチャートを参照して、受信装置７０によるLNAモード設定処理について説明する。
【０１１１】
ステップＳ７１において、セレクタ１３は、制御マイコン７３からのLNA機能のオンを表す選択信号に応じて、増幅後のRF信号を選択し、分配器１４に出力する。ステップＳ７２において、分配器１４は、セレクタ１３から出力されたRF信号を２組のチューナ７２−１および７２−２に分配する。
【０１１２】
ステップＳ７３において、チューナ７２−１は、選局およびノイズ検出処理を行う。この選局およびノイズ検出処理の詳細については、後述する図１４を参照して説明する。
【０１１３】
ステップＳ７４において、セレクタ１３は、制御マイコン７３からのLNA機能のオフを表す選択信号に応じて、アンテナ７１で受信されたままのRF信号を選択し、分配器１４に出力する。ステップＳ７５において、チューナ７２−１は、ステップＳ７３の処理と同様に、選局およびノイズ検出処理を行う。
【０１１４】
ステップＳ７６において、制御マイコン７３は、ステップＳ７３で検出されたエラー率Ｅ１が、ステップＳ７５で検出されたエラー率Ｅ２より大きいかどうかを判定する。ステップＳ７６でエラー率Ｅ１がエラー率Ｅ２より大きいと判定された場合、即ち、LNA機能のオフ時の映像信号や音声信号の品質が、LNA機能のオン時の映像信号や音声信号の品質より良い場合、処理はステップＳ７７に進む。ステップＳ７７において、制御マイコン７３はLNAモードをオフモードに設定し、処理は終了する。
【０１１５】
一方、ステップＳ７６でエラー率Ｅ１がエラー率Ｅ２より大きくはないと判定された場合、即ち、LNA機能のオフ時の映像信号や音声信号の品質が、LNA機能のオン時の映像信号や音声信号の品質より良くはない場合、処理はステップＳ７８に進む。ステップＳ７８において、制御マイコン７３は、LNAモードをオンモードに設定し、処理は終了する。
【０１１６】
以上のように、受信装置７０は、LNA機能のオン時のエラー率Ｅ１とLNA機能のオフ時のエラー率Ｅ２を検出して比較する。従って、強電界のRF信号が受信された場合にLNAで発生する歪み等によるビートノイズと、中弱電界のRF信号が受信された場合にLNAにより改善されるノイズのレベルを比較することができる。
【０１１７】
また、受信装置７０は、LNA機能のオン時のエラー率Ｅ１とLNA機能のオフ時のエラー率Ｅ２を比較して、よりエラー率の低い場合のLNA機能の状態に対応するLNAモードとして設定する。従って、LNA機能のオン/オフを最適に行い、常に安定した映像信号を受信することができる。
【０１１８】
さらに、受信装置７０は、LNA機能のオン/オフを自動的に行うので、ユーザが手動で行う場合に比べて、ユーザは煩雑な操作を行う必要がない。また、RF信号レベルの高い綺麗なテレビジョン信号を接続しても、映像が正常に映らないという苦情の発生を防止することができる。
【０１１９】
なお、図１３のLNAモード設定処理は、図７のLNAモード設定処理と同様に、初期の選局プリセット時や最初の選局時にのみ行われるようにしてもよいし、ユーザにより選局指示が行われるごとに行われるようにしてもよい。
【０１２０】
次に、図１４のフローチャートを参照して、図１３のステップＳ７３やＳ７５の選局およびノイズ検出処理について説明する。
【０１２１】
ステップＳ９１において、アンプ９１は、A/D変換回路９５からフィードバックされた低IF信号に基づくゲインで、分配器１４から供給されるRF信号を増幅し、帯域制限する。アンプ９１は、増幅および帯域制限後のRF信号をミキサ９２に供給する。
【０１２２】
ステップＳ９２において、ミキサ９２は、OSC・PLL回路９３から供給される、選局信号に対応する周波数信号に基づいて、アンプ９１から供給されるRF信号を低IF信号に周波数変換し、AGC付きアンプ９４に出力する。
【０１２３】
ステップＳ９３において、AGC付きアンプ９４は、A/D変換回路９５からフィードバックされた低IF信号に基づくゲインで、ミキサ９２から供給される低IF信号を増幅し、A/D変換回路９５に供給する。
【０１２４】
ステップＳ９４において、A/D変換回路９５は、低IF信号に対してA/D変換を行い、その結果得られるデジタルの低IF信号を出力する。ステップＳ９５において、直交復調回路９６は、A/D変換回路９５から出力されるデジタルの低IF信号を直交復調することによってベースバンドのOFDM信号を取得し、FFT回路９７に出力する。
【０１２５】
ステップＳ９６において、FFT回路９７は、１つのOFDMシンボルのベースバンドのOFDM信号から有効シンボル長の範囲の信号を抜き出し、制御マイコン７３からの制御信号にしたがって、抜き出されたベースバンドのOFDM信号に対してFFT演算を行う。これにより、各サブキャリアに直交変調されているデータが抽出され、そのデータを表すOFDM信号が出力される。
【０１２６】
ステップＳ９７において、TMCC復号回路１０１は、FFT回路９７から出力されたOFDM信号からTMCC信号を抽出し、TMCC信号から変調方式情報などを取得する。そして、TMCC復号回路１０１は、変調方式情報を制御マイコン７３に供給する。
【０１２７】
ステップＳ９８において、ビタビ復号回路９８は、FFT回路９７から出力されたOFDM信号に対してビタビ復号を行い、その結果得られるOFDM信号を出力する。
【０１２８】
ステップＳ９９において、BER計測回路１０２は、ビタビ復号回路９８から供給されるOFDM信号に基づいて、ビタビ復号回路９８によりエラー訂正されたビットの数を計測し、その数の全ビット数に対する割合であるエラー率を検出する。そして、BER計測回路１０２は、そのエラー率を制御マイコン７３に供給する。
【０１２９】
ステップＳ１００において、ＲＳ復号回路９９は、ビタビ復号回路９８から供給されるビタビ復号後のOFDM信号に対してＲＳ復号を行う。そして、ＲＳ復号回路９９は、その結果得られるOFDM信号をデコーダ１００に供給する。
【０１３０】
ステップＳ１０１において、デコーダ１００は、ビタビ復号回路９８から供給されるOFDM信号に対して、MPEG2規格に準拠した方式で復号を行うことにより、映像信号や音声信号を得る。この映像信号は表示部１７に供給されて表示され、音声信号はスピーカ（図示せず）等に出力される。そして、処理は図１３のステップＳ７３やＳ７５に戻り、以降の処理が行われる。
【０１３１】
[チューナの他の詳細構成例]
図１５は、図１１のチューナ７２−１の他の詳細構成例を示すブロック図である。
【０１３２】
図１５に示す構成のうち、図１２の構成と同じ構成には同じ符号を付してある。重複する説明については適宜省略する。
【０１３３】
図１５のチューナ７２−１の構成は、主に、BER計測回路１０２の代わりに、C/N検出回路１２１が設けられている点が図１２の構成と異なる。図１５のチューナ７２−１は、映像信号に含まれる妨害信号のレベルとして、RF信号として送信されてくるSP（Scattered Pilot：分散パイロット）信号のC/N（Carrier/Noise）比を検出する。
【０１３４】
詳細には、C/N検出回路１２１（検出手段）は、FFT回路９７から出力されるOFDM信号からSP信号を抽出し、そのSP信号のコンスタレーション上の分散値を測定する。そして、C/N検出回路１２１は、その分散値を用いてC/N比を求め、制御マイコン７３に供給する。
【０１３５】
[受信装置の他の処理の説明]
次に、図１６のフローチャートを参照して、図１５のチューナ７２−１を備える受信装置７０によるLNAモード設定処理について説明する。
【０１３６】
ステップＳ１１１において、図１３のステップＳ７１の処理と同様に、セレクタ１３は、制御マイコン７３からの選択信号に応じて、増幅後のRF信号を選択し、分配器１４に出力する。ステップＳ１１２において、ステップＳ７２の処理と同様に、分配器１４は、セレクタ１３から出力されたRF信号を２組のチューナ７２−１および７２−２に分配する。
【０１３７】
ステップＳ１１３において、チューナ７２−１は、選局およびノイズ検出処理を行う。この選局およびノイズ検出処理の詳細については、後述する図１７を参照して説明する。
【０１３８】
ステップＳ１１４において、ステップＳ７４の処理と同様に、セレクタ１３は、制御マイコン７３からの選択信号に応じて、アンテナ７１で受信されたままのRF信号を選択し、分配器１４に出力する。ステップＳ１１５において、チューナ７２−１は、ステップＳ１１３の処理と同様に、選局およびノイズ検出処理を行う。
【０１３９】
ステップＳ１１６において、制御マイコン７３は、ステップＳ１１３で検出されたC/N比Ｒ１が、ステップＳ１１５で検出されたC/N比Ｒ２より小さいかどうかを判定する。ステップＳ１１６でC/N比Ｒ１がC/N比Ｒ２より小さいと判定された場合、即ち、LNA機能のオフ時の映像信号や音声信号の品質が、LNA機能のオン時の映像信号や音声信号の品質より良い場合、処理はステップＳ１１７に進む。ステップＳ１１７において、制御マイコン７３はLNAモードをオフモードに設定し、処理は終了する。
【０１４０】
一方、ステップＳ１１６でC/N比Ｒ１がC/N比Ｒ２より小さくはないと判定された場合、即ち、LNA機能のオフ時の映像信号や音声信号の品質が、LNA機能のオン時の映像信号や音声信号の品質より良くはない場合、処理はステップＳ１１８に進む。ステップＳ１１８において、制御マイコン７３は、LNAモードをオンモードに設定し、処理は終了する。
【０１４１】
以上のように、図１５のチューナ７２−１を備える受信装置７０は、LNA機能のオン時のC/N比Ｒ１とLNA機能のオフ時のC/N比Ｒ２を検出して比較する。従って、強電界のRF信号が受信された場合にLNAで発生する歪み等によるビートノイズと、中弱電界のRF信号が受信された場合にLNAにより改善されるノイズのレベルを比較することができる。
【０１４２】
また、図１５のチューナ７２−１を備える受信装置７０は、LNA機能のオン時のC/N比Ｒ１とLNA機能のオフ時のC/N比Ｒ２を比較して、よりC/N比の高い場合のLNA機能の状態に対応するLNAモードを設定する。従って、LNA機能のオン/オフを最適に行い、常に安定した映像信号を受信することができる。
【０１４３】
なお、図１６のLNAモード設定処理は、図７や図１３のLNAモード設定処理と同様に、初期の選局プリセット時や最初の選局時にのみ行われるようにしてもよいし、ユーザにより選局指示が行われるごとに行われるようにしてもよい。
【０１４４】
次に、図１７のフローチャートを参照して、図１６のステップＳ１１３やＳ１１５の選局およびノイズ検出処理について説明する。
【０１４５】
ステップＳ１３１乃至Ｓ１３７の処理は、図１４のステップＳ９１乃至Ｓ９７の処理と同様であるので、説明は省略する。
【０１４６】
ステップＳ１３８において、C/N検出回路１２１は、FFT回路９７から出力されるOFDM信号からSP信号を抽出し、そのSP信号のコンスタレーション上の分散値を用いてC/N比を検出する。そして、C/N検出回路１２１は、制御マイコン７３に供給する。
【０１４７】
ステップＳ１３９乃至Ｓ１４１の処理は、図１４のステップＳ９８，Ｓ１００，Ｓ１０１の処理と同様であるので、説明は省略する。
【０１４８】
なお、受信装置７０は、QPSK（Quadrature Phase Shift Keying）方式などで変調された地上デジタル放送を受信するものであってもよい。
【０１４９】
本発明を弱電界のRF信号を受信することでノイズ成分が増加したとき、シャープネス等の鮮鋭度調整を自動的に減量する機能や、水平同期回路のPLL時定数を長く設定して、直線的な映像信号が弱電界時にギザギザになってしまうという症状を改善する機能などを有するテレビジョン受像機に適用する場合には、それらの機能のために実装されているノイズ検出回路をノイズ検出回路１６として共用してもよい。
【０１５０】
また、本発明をデジタル放送の各種受信状況を表示する機能を有するテレビジョン受像機に適用する場合には、その機能のために実装されているBER計測部やC/N検出回路をBER計測回路１０２やC/N検出回路１２１として共用してもよい。
【０１５１】
さらに、本発明は、複数のチューナを有する受信装置だけでなく、単品のチューナを有する受信装置にも適用することができる。
【０１５２】
例えば、近年、全ての高周波回路を１チップのシリコンウェハ上に作成したチューナが実用化されているが、このようなチューナでは低NF値を確保することがプロセス上困難である。そのため、このようなチューナが設けられるテレビジョン受像機では、単品のチューナを設ける場合であっても、チューナの前段に外付けのLNAを設けてNF値を改善する必要がある。従って、このようなチューナが単品で設けられるテレビジョン受像機においても、本発明を適用することにより、映像信号や音声信号の品質を向上させることができる。
【０１５３】
また、テレビジョン受像機には、LNAだけでなく、強電界のRF信号の受信時に発生するアンプによる歪み成分を逆位相で帰還して補正する歪みキャンセラも搭載することがある。このようなテレビジョン受像機に本発明を適用した場合、LNA機能のオン/オフだけでなく、キャンセラのオン/オフも最適に行うことができる。
【０１５４】
さらに、受信装置１０（７０）のように２組のチューナ１５−１（７２−１），１５−２（７２−２）の前段に同等または共通のLNA１２が設けられる場合、一方のチューナ１５−１（７２−１）にLNA機能のオン時のRF信号を入力し、他方のチューナ１５−２（７２−２にLNA機能のオフ時のRF信号を入力して、LNAモードの設定を行うようにしてもよい。この場合、１つのチューナだけを用いて設定を行う場合に比べて、素早くLNAモードの設定を行うことができる。
【０１５５】
なお、制御マイコン１８（７３）が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１５６】
また、本発明の実施の形態は、上述した実施の形態に限定されるものではなく、本発明の要旨を逸脱しない範囲において種々の変更が可能である。
【図面の簡単な説明】
【０１５７】
【図１】本発明を適用した受信装置の第１の実施の形態の構成例を示すブロック図である。
【図２】図１のノイズ検出回路の詳細構成例を示すブロック図である。
【図３】ノイズがない場合の映像信号を示す図である。
【図４】ノイズがない場合のノイズ検出用信号の絶対値を示す図である。
【図５】ノイズがある場合の映像信号を示す図である。
【図６】ノイズがある場合のノイズ検出用信号の絶対値を示す図である。
【図７】受信装置によるLNAモード設定処理について説明するフローチャートである。
【図８】図７の選局処理の詳細について説明するフローチャートである。
【図９】図７のノイズ検出処理の詳細について説明するフローチャートである。
【図１０】図１のノイズ検出回路の他の詳細構成例を示すブロック図である。
【図１１】本発明を適用した受信装置の第２の実施の形態の構成例を示すブロック図である。
【図１２】図１１のチューナの詳細構成例を示す図である。
【図１３】図１１の受信装置によるLNAモード設定処理について説明するフローチャートである。
【図１４】図１３の選局およびノイズ検出処理について説明するフローチャートである。
【図１５】図１１のチューナの他の詳細構成例を示すブロック図である。
【図１６】図１５のチューナを備える受信装置によるLNAモード設定処理について説明するフローチャートである。
【図１７】図１６の選局およびノイズ検出処理について説明するフローチャートである。
【符号の説明】
【０１５８】
１０  受信装置，  １２  LNA，  １３  セレクタ，  １６  ノイズ検出回路，  ７０  受信装置，  １０２  BPF計測回路，  １２１  C/N検出回路
【図１】
2010153970.tif 000003
【図２】
2010153970.tif 000004
【図３】
2010153970.tif 000005
【図４】
2010153970.tif 000006
【図５】
2010153970.tif 000007
【図６】
2010153970.tif 000008
【図７】
2010153970.tif 000009
【図８】
2010153970.tif 000010
【図９】
2010153970.tif 000011
【図１０】
2010153970.tif 000012
【図１１】
2010153970.tif 000013
【図１２】
2010153970.tif 000014
【図１３】
2010153970.tif 000015
【図１４】
2010153970.tif 000016
【図１５】
2010153970.tif 000017
【図１６】
2010153970.tif 000018
【図１７】
2010153970.tif 000019